(57)【要約】【課題】懸賞の運営者側及び懸賞の提供者側からみて、より多くの応募者に懸賞に参加してもらいたいという願望と、応募者側では、安心して、かつ平易に応募可能であってほしいとの期待を果たすことを目的とする。【解決手段】情報媒体を介して記事又は番組或いはウエブ上で運用者が提供するパソワードと運用者が配布する記録媒体とを連動させていることにより懸賞応募行為を運用する方法であり、懸賞応募者がオフラインで確認し送信した応募情報を基に懸賞運営者が、判断しその結果を懸賞応募者と懸賞提供者に通報する工程を含む懸賞運営方法に関する。【選択図】        図１
2007249610.tif 000002
【特許請求の範囲】
【請求項１】
ウエブ処理機能、情報処理機能及び抽選処理機能を備える懸賞催行サーバと懸賞運営者の通信端末機と懸賞応募者の通信端末機と懸賞提供者の通信端末機とをインターネットを介して形成したネットワーク上で、懸賞情報群及び懸賞応募手順を記録した記録媒体並びに印刷物、放送及びマルチメディアよりなる情報媒体によって懸賞を催行する工程を備える懸賞運営方法であって、
前記懸賞運営者が、前記記録媒体を配布する工程と、
前記懸賞運営者が、前記情報媒体を通じて、パスワードを提供する工程と、
前記懸賞応募者が、オフラインで、前記懸賞応募者の通信端末機の画面上で、前記記録媒体と前記パスワードとによって取得した前記懸賞情報群の中から選定した懸賞情報を、応募情報として確定する工程と、
前記懸賞応募者が、確定した前記応募情報を、前記懸賞応募者の通信端末機より前記懸賞催行サーバに送信する工程と、
前記懸賞催行サーバ上で、前記応募情報を抽選し、その結果を前記懸賞応募者の通信端末機及び前記懸賞提供者の通信端末機に送信する工程と、
を有することを特徴とする懸賞運営方法。
【発明の詳細な説明】
【技術分野】
【０００１】
本発明は、情報媒体上で運用者が提供するコンテンツと運用者が配布する記録媒体とを連動させて懸賞応募行為を運用する方法に関するものである。
【背景技術】
【０００２】
懸賞は、一般的には、新聞、雑誌、テレビ放送、ラジオ放送、マルチメディアなどの情報媒体を使って催行されている。懸賞の応募には電話、葉書が使われるが、より利便性が高い方法として、インターネット回線を介してオンラインで応募する形式も多く催行されている。常時接続の時代になってきた今日なお在来手法でインターネットにより懸賞を楽しんでいる多くの人がいる。この方々を懸賞参加に誘導するには懸賞運営上多くの問題がある。
【０００３】
その問題の一つを解決するために、懸賞に要するコスト及び時間を削減し、消費者における懸賞の応募の手間を削減し、懸賞の応募結果を迅速に通知することを目的とした出願がなされている。ＰＯＳ端末から発行されるＩＤを用いて消費者が懸賞に応募する手段を提供している（特開2002-63456号）。又、応募側実施側共に懸賞の実施に必要な作業を最小限で済ますために携帯電話などを用いた出願もある。懸賞の実施にあたり、抽選対象者の電話番号やメールアドレス等の送信先情報を取得し、取得した送信先情報を用いて各抽選対象者に固有の抽選番号及びパスワードを送信するようにしたので、懸賞の実施者は情報の送信が可能な所望の相手を抽選対象者として選び、懸賞を実施することができるとした（特開2001-243333号）。
【０００４】
これらの従来技術は、消費者における懸賞の応募の手間を削減することを主たる目的とした技術であって、それぞれ特徴がある。しかし、いずれも、より多くの応募者に懸賞に参加してもらいたいという懸賞の運営者側及び懸賞の提供者側の願望と、安心して、かつ平易に応募可能であってほしいという応募者側の期待とには応じられない。
【特許文献１】特開2002-63456号
【特許文献２】特開2001-243333号
【発明の開示】
【発明が解決しようとする課題】
【０００５】
本発明は、かかる欠点を解決するもので、懸賞運営者及び懸賞提供者の願望を叶え、応募者の期待を反映させる懸賞運営方法を提供することを目的とする。
【課題を解決するための手段】
【０００６】
本発明の懸賞運営方法は、情報媒体上で運用者が提供するコンテンツと運用者が配布する記録媒体とを連動させることにより、この目的を達成する。
具体的には、本発明の懸賞運営方法は、
ウエブ処理機能、情報処理機能及び抽選処理機能を備える懸賞催行サーバと懸賞運営者の通信端末機と懸賞応募者の通信端末機と懸賞提供者の通信端末機とをインターネットを介して形成したネットワーク上で、懸賞情報群及び懸賞応募手順を記録した記録媒体並びに印刷物、放送及びマルチメディアよりなる情報媒体によって懸賞を催行する工程を備える懸賞運営方法であって、
前記懸賞運営者が、前記記録媒体を配布する工程と、
前記懸賞運営者が、前記情報媒体を通じて、パスワードを提供する工程と、
前記懸賞応募者が、オフラインで、前記懸賞応募者の通信端末機の画面上で、前記記録媒体と前記パスワードとによって取得した前記懸賞情報群の中から選定した懸賞情報を、応募情報として確定する工程と、
前記懸賞応募者が、確定した前記応募情報を、前記懸賞応募者の通信端末機より前記懸賞催行サーバに送信する工程と、
前記懸賞催行サーバ上で、前記応募情報を抽選し、その結果を前記懸賞応募者の通信端末機及び前記懸賞提供者の通信端末機に送信する工程と、を有する。
【発明の効果】
【０００７】
懸賞運用者は、情報媒体を介して、記事上で、又は番組上で、或いはウエブ上で、懸賞サイトを紹介し、懸賞応募に必要なパスワードを提供するので、懸賞応募者は情報媒体に積極的に接触する。懸賞応募者が情報媒体に接触することは、印刷物が拡販され、放送の視聴率が向上し、ウエブへのアクセス率が向上することになり、その結果、懸賞運営者の活動も活溌になり、懸賞提供者の取り扱う商品、役務の拡販にも寄与するという相乗効果が見込める。又、記録媒体を利用すると、オフラインで懸賞応募を検討することができるので、回線接続の応募者の負担を削減することができる。
など、懸賞運営者及び懸賞提供者の双方の願望を叶え懸賞応募者の期待を果たす効果がある。
【発明を実施するための最良の形態】
【０００８】
懸賞運営者は、懸賞提供者の協力を得て作成した記録媒体を、街中で、又は雑誌などに付属して配布する。又、懸賞運営者は、情報媒体を介して、記事上で、又は番組上で、或いはウエブ上で、懸賞サイトを紹介し、懸賞応募に必要なパスワードを提供する。懸賞応募者は、入手した記録媒体とパスワードによって、オフラインで懸賞を試行する。その結果を、確定した応募情報として懸賞運営者の懸賞催行サーバに送信して、懸賞応募者の懸賞参加は完了する。懸賞運営者は、抽選行為を実施し、当選した懸賞応募者に通報すると同時に懸賞提供者に通報する。
【実施例】
【０００９】
図１は、本発明の懸賞運営方法の概念を示すブロック図である。図２は、本発明の懸賞運営方法における工程のフローチャートである。ステップ・グループＡはオンラインで作動する工程と同じであることを示す。図３は、懸賞応募者の通信端末機表示部上の画面の表示例を示し、（ａ）は、懸賞区分構成例であり、（ｂ）は、入力画面と確認画面である。
本明細書では、情報媒体は、新聞、雑誌などよりなる印刷物、テレビ放送、ラジオ放送などの放送、マルチメディアの総称である。図２に記載のS201などはステップをあらわし、以下懸賞運営者を運営者と懸賞提供者を提供者と懸賞応募者を応募者と略し、通信端末機を単に端末機と略す。
【００１０】
図１によって、本発明による懸賞運営方法の概略を説明する。運営者１の端末機４と提供者２の端末機５と応募者３の端末機６と懸賞催行サーバ７とが接続回線１０で接続され、懸賞は、運営者１と提供者２と応募者３とによって実行される。接続回線１０はインターネット接続回線であり、本明細書では、インターネット接続環境が整っているものとしている。
配布工程９は、運営者１が提供者２の協力を得て作成した記録媒体９１を、街中で、又は雑誌などに付属して一般に配布することを指す。記録媒体９１は、懸賞情報群及び懸賞応募手順よりなるプログラムを記録してあり、これによって応募者３の端末機６の上で懸賞プログラムをオフラインで試行することができる。
パスワード提供工程８１は、運用者が情報媒体８を介して、記事上で、又は番組上で、或いはウエブ上で、懸賞サイトを紹介し、懸賞応募に必要なパスワード８２を公開することを指す。
応募者端末機６は、入力部６１と表示部６２と情報処理部６３と読み取り部６４とを備える。
【００１１】
図２によって、本発明の懸賞運営方法の工程を説明する。運営者１は提供者２の協力を得て作成した記録媒体９１を、街中で、又は雑誌などに付属して配布するので、応募者は容易に記録媒体９１を入手することができる(S201)。入手した記録媒体９１を応募者３の端末機６の読み取り部６４にセットする(S202)。記録媒体９１をセットアップすると、プログラムが自動的に作動し、パスワード入力待ちになる。応募者３は、パスワード提供工程８１でパスワード８２を入手する（S200）。パスワード８２を応募者３の端末機６の入力部６１から入力する（S203）。整合しているかどうか検証する（S204）。
【００１２】
本発明では、応募者は、情報媒体が提供するパスワードを使用して応募するので、情報媒体への密着性が強固になる。このことは、印刷物の拡販に寄与し、放送の視聴率が向上し、ウエブへのアクセス率が向上することになり、その結果、懸賞も活溌になるという効果が見込める。
情報媒体を介して記事又は番組或いはウエブ上で運用者が提供するパソワードと運用者が配布する記録媒体とを連動させていることが、本発明の懸賞運営方法の特徴である。
【００１３】
本発明に使用される記録媒体は、書き込み型ディスク状光情報記録媒体であるが、最近は著しく低廉になってきたので、無償又は無償に近い費用で配布することができる。そのため、情報媒体と連動させることにより懸賞応募行為を容易にするという効果がある。
記録媒体は、懸賞情報群のデータ及び懸賞応募手順のプログラムを記録してある。懸賞情報群は、複数の懸賞情報よりなり、定期的又は不定期に発行し、更新される。必要があれば、有効期間を設け、期限を越えた場合は、総ての情報は、無効になるなどの処理を施す。懸賞情報は、賞品名、賞品番号、提供数量、賞品説明、賞品写真、提供者情報、抽選日を含む。
【００１４】
次に、図２と図３とによって端末機６の表示部６２の入力画面(104)上における工程を説明する。端末機６は、検索エンジンを搭載しているので、索引によって、応募者が希望する賞品を検索可能であるが、本明細書では、分類ごとに探索する方法を述べる。分類の一例として、大分類、中分類、小分類に分類した。大分類は、通常は、業種（分野）別分類である。まず大分類を選択する(S205)。任意の一つが選択された大分類(101)を決定する（S206）。次に、小分類（102）を、必要があれば、小分類（102）の中から、さらに小区分（賞品名）(103)を、選択して（S207）、決定する（S208）。画面(104)の上で、応募者情報を入力する(S209)。この画面(104)では、（S208）で決定した小区分(103)は入力されている。画面(105)において、確認を行い（S210）、確認を完了すれば（S211）、処理部６３を経由して送信する（S212）。修正を必要とすれば、大分類選択画面に戻る(S205)。これらの工程は、表示部６２と処理部６３とを通じてオフラインで行われる。
【００１５】
図２のＡで示す工程即ち(S205)〜（S212）は、オンラインで実施する工程と同等である。本発明は、この工程を、オフラインで完成するところに特徴があり、オフラインで実行できるために、インターネット接続時の課金を気にすることなく、応募したいもののみ充分検討することができるという効果がある。
【００１６】
懸賞催行サーバ４の詳細は、図示していないが、ウエブ処理機能、情報処理機能及び抽選処理機能を備える。懸賞催行サーバ４は、応募者３から送信してきた応募情報を、抽選日を中心とした予め定められた方法で厳正抽選を行い（S213）、抽選の結果を、必要に応じて応募者３に通知する（S214）と同時に提供者２に通報する（S215）。
【図面の簡単な説明】
【００１７】
【図１】本発明の懸賞運営方法の概念を示すブロック図である。
【図２】本発明の懸賞運営方法における工程のフローチャートである。
【図３】懸賞応募者の端末機表示装置上の画面の表示例を示し、（ａ）は、懸賞区分構成例であり、（ｂ）は、入力画面と確認画面である。
【符号の説明】
【００１８】
Ａ  オンラインで実施する工程と同じ内容の工程群
１  懸賞運営者
２  懸賞提供者
３  懸賞応募者 
４  （懸賞運営者の）通信端末機
５  （懸賞提供者の）通信端末機
６  （懸賞応募者の）通信端末機
６１  入力部
６２  表示部
６３  処理部
６４  読み取り部
７  懸賞催行サーバ
８  情報媒体
８１  パスワード提供工程
８２  パスワード
９  記録媒体配布工程
９１  記録媒体   
１０  接続回線
１０１  大分類（分野別）
１０２  小分類
１０３  小区分（賞品名）
１０４  入力画面
１０５  確認画面
【図１】
2007249610.tif 000003
【図２】
2007249610.tif 000004
【図３】
2007249610.tif 000005